(57)【特許請求の範囲】
【請求項１】
床上に設置される上方に開口した収納箱本体と、上面側が畳部とされ、前記収納箱本体の開口を開閉する蓋体と、を備え、
前記収納箱本体の底板には、前記床に形成された床下点検口に連通される点検開口が形成されており、
前記点検開口を開閉する点検口蓋体を備えていることを特徴とする畳付収納装置。
【請求項２】
請求項１において、
前記点検口蓋体は、前記床下点検口に嵌め込まれる下側部位と、該下側部位の上側に設けられ、全周に亘って鍔部を設けた上側部位とを備えていることを特徴とする畳付収納装置。
【請求項３】
請求項２において、
前記底板の点検開口は、前記床下点検口と略同径状とされており、
前記点検口蓋体の鍔部は、前記下側部位が前記床下点検口に嵌め込まれた状態で前記点検開口の開口周縁部に係止されることを特徴とする畳付収納装置。
【請求項４】
請求項２において、
前記底板の点検開口は、前記床下点検口よりも大径状とされており、
前記点検口蓋体の鍔部は、前記下側部位が前記床下点検口に嵌め込まれた状態で前記床下点検口の開口周縁部に係止され、当該点検口蓋体の上面と前記底板の上面とが略面一となることを特徴とする畳付収納装置。
【発明の詳細な説明】
【技術分野】
【０００１】
本発明は、床上に設置される畳付収納装置に関する。
【背景技術】
【０００２】
従来より、床下を点検するために、住居等の建物の床には床下点検口が設けられる。
このような床下点検口は、床に設けられた開口部の周縁に沿って外枠を取り付け、外周に内枠を取り付けた蓋材を外枠に着脱自在に載せおくことで開閉可能とされている（下記特許文献１及び下記特許文献２参照）。
【先行技術文献】
【特許文献】
【０００３】
【特許文献１】特開２０００−７３５５６号公報
【特許文献２】実開昭５８−３５５４７号公報
【発明の概要】
【発明が解決しようとする課題】
【０００４】
ところで、このような床下点検口は、一般的に、キッチンや脱衣所、階段下収納、押入等の目立ち難い箇所に設けられることが多い。
しかしながら、上記のような箇所に限られず、構造躯体や給排水管、ガス管、各種配線の点検、補修等の維持管理の容易性等の観点から床下点検口をリビングや寝室等の種々の箇所に設けたい場合があった。このような場合において、上記各特許文献に記載された蓋材等によって開閉される床下点検口を設ける態様とすれば、目立ち易くなり、見栄えが悪いという問題があった。
【０００５】
本発明は、上記実情に鑑みてなされたものであり、必要に応じて種々の箇所に設けられる床下点検口を目立ち難くし得る畳付収納装置を提供することを目的とする。
【課題を解決するための手段】
【０００６】
上記目的を達成するために、本発明に係る畳付収納装置は、床上に設置される上方に開口した収納箱本体と、上面側が畳部とされ、前記収納箱本体の開口を開閉する蓋体と、を備え、前記収納箱本体の底板には、前記床に形成された床下点検口に連通される点検開口が形成されており、前記点検開口を開閉する点検口蓋体を備えていることを特徴とする。
【０００７】
本発明においては、前記点検口蓋体は、前記床下点検口に嵌め込まれる下側部位と、該下側部位の上側に設けられ、全周に亘って鍔部を設けた上側部位とを備えていてもよい。
また、本発明においては、前記底板の点検開口は、前記床下点検口と略同径状とされており、前記点検口蓋体の鍔部は、前記下側部位が前記床下点検口に嵌め込まれた状態で前記点検開口の開口周縁部に係止されてもよい。
さらに、本発明においては、前記底板の点検開口は、前記床下点検口よりも大径状とされており、前記点検口蓋体の鍔部は、前記下側部位が前記床下点検口に嵌め込まれた状態で前記床下点検口の開口周縁部に係止され、当該点検口蓋体の上面と前記底板の上面とが略面一となってもよい。
【発明の効果】
【０００８】
本発明に係る畳付収納装置によれば、必要に応じて種々の箇所に設けられる床下点検口を目立ち難くすることができる。
【図面の簡単な説明】
【０００９】
【図１】（ａ）、（ｂ）は、本発明の一実施形態に係る畳付収納装置の一例を模式的に示し、（ａ）は、図３におけるＸ−Ｘ線矢視に対応させた一部破断概略縦断面図、（ｂ）は、一部を省略した一部分解概略縦断面図である。
【図２】（ａ）、（ｂ）は、いずれも同畳付収納装置の一部省略概略平面図である。
【図３】同畳付収納装置の設置態様の一例を模式的に示す概略斜視図である。
【図４】（ａ）、（ｂ）は、本発明の他の実施形態に係る畳付収納装置の一例を模式的に示し、それぞれ図１（ａ）、（ｂ）に対応させた概略縦断面図である。
【図５】（ａ）、（ｂ）は、いずれも同畳付収納装置の一部省略概略平面図である。
【発明を実施するための形態】
【００１０】
以下に本発明の実施の形態について、図面に基づいて説明する。
なお、一部の図では、他図に付している詳細な符号の一部を省略している。また、図１（ｂ）、図２（ａ）、図４（ｂ）及び図５（ａ）では、蓋体の図示を省略し、図２（ｂ）及び図５（ｂ）では、蓋体及び点検口蓋体の図示を省略している。
【００１１】
図１〜図３は、第１実施形態に係る畳付収納装置の一例を模式的に示す図である。
本実施形態に係る畳付収納装置１は、図１に示すように、住居等の建物内の床２上に設置される上方に開口した収納箱本体１０と、収納箱本体１０の開口１１を開閉する蓋体１９とを備えた構造とされている。
床２及び床２の下側の構造としては、例えば、コンクリート等の基礎（立ち上り基礎）の上側に土台、大引、根太等を順に配設し、根太の上側に床下地材、床材を順に配設し、これら床下地材及び床材によって床２が構成されるものとしてもよい。
【００１２】
床２には、床（床材または床下地材及び床材）２の厚さ方向に貫通するように床下点検口３が形成されている。
図例では、床下点検口３を、平面視して略正方形状とした例を示している（図２（ｂ）参照）。
この床下点検口３によって、床２の上方側の居住空間等と、床２下の床下空間とが連通される。この床下点検口３は、床下空間を点検する作業者等が当該床下点検口３を介して床下空間に出入可能なように形成されている。例えば、床下点検口３を平面視において略正方形状とした場合には、その一辺を５０ｃｍ程度としてもよい。この床下点検口３は、例えば、床下の構造躯体や、床下空間に設けられた給排水管やガス管、各種配線の点検、さらにはこれらの補修等の維持管理をする際に使用される。
【００１３】
収納箱本体１０は、四周の側板と底板１２とを備えた箱状体とされ、上方に向けて開口する開口１１を有した構造とされている（図２も参照）。この収納箱本体１０の内部空間が物品等を収納可能な収納空間とされている。
また、本実施形態では、収納箱本体１０を、平面視して略正方形状としている。
この収納箱本体１０は、四周の側板の側端部同士を固定し、この四周の側板の下端部に底板１２を固定したものとしてもよい。または、このように板材同士を固定した態様に代えて、四周の側板若しくはこれら四周の側板及び底板１２を一体成型したものとしてもよい。
【００１４】
この収納箱本体１０の開口１１を開閉する蓋体１９は、略矩形平板状とされており、上面側が畳部１９ａとされている。蓋体１９は、畳部１９ａ及びこの畳部１９ａの下面側に設けられた下板部を備えたものとしてもよい。その場合、畳部１９ａは、下板部に固定されたものとしてもよく、または、着脱自在に下板部の上側に載置されるものとしてもよい。また、畳部１９ａのみによって蓋体１９を構成するようにしてもよい。
この蓋体１９は、収納箱本体１０と平面視して略同寸同形状とされており、例えば、畳半帖程度の大きさとされたものとしてもよい。
なお、この蓋体１９の開閉構造としては、当該蓋体１９の一側端部を、収納箱本体１０を構成する四周の側板のいずれかの側板の上端部等に回動連結部材を介して回動可能に連結することで、収納箱本体１０の開口１１を開閉可能とした構造としてもよい。または、蓋体１９を、収納箱本体１０の各側板の上端面に蓋体１９の四周端部の裏面を当接させて、収納箱本体１０の上側に開閉可能に載置した構造としてもよい。
【００１５】
また、収納箱本体１０の底板１２には、底板１２の厚さ方向に貫通するように点検開口１３が形成されている。この点検開口１３は、床２に形成された床下点検口３に連通される。
本実施形態では、点検開口１３は、床下点検口３と略同径状とされている。図例では、点検開口１３を、平面視して略正方形状とし、その一辺の寸法を、平面視して略正方形状とされた床下点検口３の一辺の寸法と略同一寸法としている（図２（ｂ）も参照）。つまり、本実施形態では、点検開口１３と床下点検口３とを略同寸同形状としている。
【００１６】
なお、点検開口１３の形状は、図例のような略正方形状に限られず、例えば、平面視して略矩形状や略円形状等としてもよい。この場合は、床下点検口３を点検開口１３に応じた形状とすればよく、これらを略同径状（略同寸同形状）とすればよい。
また、本実施形態では、収納箱本体１０の底板１２の平面視における略中央部位に点検開口１３を設けた例を示しているが、この態様に限られない。点検開口１３を、収納箱本体１０の底板１２の略中央部位以外の箇所、例えば、底板１２のいずれかの隅部の近傍等に形成するようにしてもよい。
【００１７】
また、畳付収納装置１は、点検開口１３を開閉する点検口蓋体１５を備えている。この点検口蓋体１５は、点検開口１３に応じた形状とされ、本実施形態では、図２（ａ）に示すように、平面視して略正方形状とされている。
また、本実施形態では、点検口蓋体１５は、床下点検口３に嵌め込まれる下側部位１６と、下側部位１６の上側に設けられ、全周に亘って鍔部１８を設けた上側部位１７とを備えている。この鍔部１８は、図１（ａ）に示すように、本実施形態では、点検口蓋体１５の下側部位１６が床下点検口３に嵌め込まれた状態で点検開口１３の開口周縁部１４に係止される構造とされている。つまり、下側部位１６が床下点検口３に嵌め込まれた状態で、点検口蓋体１５の鍔部１８が、点検開口１３の開口周縁部１４に当接されて、点検口蓋体１５が点検開口１３の開口周縁部１４に係止される構造とされている。
【００１８】
下側部位１６は、平面視して床下点検口３（及び点検開口１３）と略同寸同形状とされており、床下点検口３に嵌め込み可能なように、床下点検口３よりも僅かに大きい寸法とされている。
点検口蓋体１５によって点検開口１３を閉鎖させ、その下側部位１６を床下点検口３に嵌め込んだ状態では、下側部位１６の外周面が底板１２の点検開口１３の内周面に近接または当接される構造とされている。
この下側部位１６の厚さ寸法（上下寸法）は、当該下側部位１６の少なくとも一部が床下点検口３に嵌め込まれるように、収納箱本体１０の底板１２の厚さ寸法等を考慮して適宜、設定するようにすればよい。図例では、下側部位１６の厚さ寸法を、底板１２の厚さ寸法と床２の厚さ寸法とを足し合わせた寸法と略同寸法とした例を示している。
【００１９】
上側部位１７は、下側部位１６よりも大径状とされ、これにより、当該点検口蓋体１５の全周に亘って鍔部１８が形成されている。この上側部位１７の鍔部１８を含んだ平面視における寸法は、下側部位１６が床下点検口３に嵌め込まれた状態で点検開口１３の開口周縁部１４に係止可能となるように下側部位１６よりも大径状とすればよい。
この上側部位１７と下側部位１６とは、一連に形成されたものとしてもよく、または、上側部位１７と下側部位１６とを積層した積層構造とされたものとしてもよい。
また、図例では、点検口蓋体１５の上面側に取手１５ｂを設けた例を示している（図２（ａ）参照）。このような取手１５ｂを設けることで、点検口蓋体１５を容易に開閉することができる。
【００２０】
この点検口蓋体１５は、その鍔部１８を点検開口１３の開口周縁部１４に係止させ、この点検開口１３を開閉可能に収納箱本体１０の底板１２に載置されたものとしてもよい。または、点検口蓋体１５の一側端部を収納箱本体１０の底板１２の上面等に回動連結部材を介して回動可能に連結した構造としてもよい。
なお、点検口蓋体１５の上面側の周縁に、点検開口１３を閉鎖した状態において底板１２に向けて降るように傾斜する傾斜面を設けるようにしてもよい。
【００２１】
また、収納箱本体１０、蓋体１９及び点検口蓋体１５は、畳部１９ａを除いて、木質系材料を板状に加工した基材に、適宜、合成樹脂シートや突板等の表面化粧シートを貼着した構成としてもよい。上記木質系材料としては、合板やＬＶＬ（単板積層材）等の木質積層板、パーティクルボード等の木質ボード、またはインシュレーションボードやＭＤＦ（中密度繊維板）等の木質繊維板等が挙げられる。また、上記基材としては、上記木質系材料に限られず、合成樹脂系材料に、木粉や無機フィラー、相溶化剤、着色剤などを所定の含有割合で含有させた木粉、プラスティック複合材（ＷＰＣ）や、合成樹脂系材料、金属系材料等からなるものとしてもよい。
【００２２】
上記構成とされた畳付収納装置１は、図３に示すように、当該畳付収納装置１と略同寸同形状とされた複数の他の畳付収納装置９とともに床２上に設置するようにしてもよい。
畳付収納装置９は、点検開口１３及び点検口蓋体１５を備えていない点を除いて畳付収納装置１と略同様の構造とされている。このような外郭形状及び外郭寸法が略同寸同形状とされた複数の畳付収納装置１，９，９，９を縦横に並べるようにして配置することで、建物内空間に床２よりも段上がり状の畳コーナー（畳スペース）を形成するようにしてもよい。
図３では、畳付収納装置１と三つの畳付収納装置９，９，９を互いの側面同士を当接させて配置し、平面視して略正方形状となるように畳コーナーを形成した例を示している。
【００２３】
上記構成とされた本実施形態に係る畳付収納装置１によれば、必要に応じて種々の箇所に設けられる床下点検口３を目立ち難くすることができる。
つまり、畳付収納装置１は、収納箱本体１０の底板１２に、床２に形成された床下点検口３に連通される点検開口１３が形成され、この点検開口１３を開閉する点検口蓋体１５を備えている。また、収納箱本体１０の上方の開口１１は、上面側が畳部１９ａとされた蓋体１９によって覆うことができる。
従って、当該畳付収納装置１が設置された状態では、床下点検口３及びこれを覆う点検口蓋体１５が露出せず、上面側が畳部１９ａとされた収納装置としての外観を呈するため、床下点検口３を目立ち難くすることができる。
【００２４】
また、床下点検口３を介して床２下を点検する際には、当該畳付収納装置１の蓋体１９を開放させ、点検口蓋体１５を開放させることで、床下点検口３にアクセスすることができる。また、畳付収納装置１を利用して、物品等を収納することができる。つまり、本実施形態に係る畳付収納装置１は、収納装置としての機能のみならず、床下点検口３へのアクセススペースとしても機能する。
さらに、上述のように、当該畳付収納装置１と他の複数の畳収納装置９，９，９とを隣接させて並べて設置することで、これらによって建物内空間に畳コーナーを形成することもできる。
また、上述のように、当該畳付収納装置１が設置された状態では、上面側が畳部１９ａとされた収納装置としての外観を呈する。そのため、住居等のリビングや寝室等に床下点検口３を設けるような場合にも違和感を生じさせることがなく、必要に応じて種々の箇所に設けられる床下点検口３を目立ち難くすることができる。つまりは、本実施形態に係る畳付収納装置１によれば、床下の構造や配線経路、配管経路等に応じて比較的に最良の箇所に床下点検口３を違和感なく設けることも可能となる。
【００２５】
また、本実施形態では、点検口蓋体１５の下側部位１６を床下点検口３に嵌め込むことができるので、例えば、単に載せ置くようなものと比べて、点検口蓋体１５をずれ難くすることができる。
さらに、本実施形態では、点検口蓋体１５の鍔部１８が点検開口１３の開口周縁部１４に係止され、その下側部位１６が床下点検口３に嵌め込まれる。従って、底板１２の点検開口１３の内周面に点検口蓋体１５の下側部位１６の外周面が近接または当接されることとなる。これにより、床２上に設置された畳付収納装置１の水平方向への移動を抑制することができる。また、底板１２の点検開口１３の開口周縁部１４に点検口蓋体１５の鍔部１８が係止されるので、畳付収納装置１の上方への移動も抑制することができる。
【００２６】
次に、本発明に係る他の実施の形態について、図面を参照しながら説明する。
図４及び図５は、第２実施形態に係る畳付収納装置の一例を模式的に示す図である。
なお、上記第１実施形態との相違点について主に説明し、同様の構成については、同一符合を付し、その説明を省略または簡略に説明する。
【００２７】
本実施形態に係る畳付収納装置１Ａは、収納箱本体１０Ａの底板１２Ａに形成された点検開口１３Ａ及び点検口蓋体１５Ａの構成が上記第１実施形態とは主に異なる。
本実施形態では、図４及び図５（ｂ）に示すように、点検開口１３Ａを、床２の床下点検口３よりも大径状としている。
また、点検口蓋体１５Ａは、下側部位１６が床下点検口３に嵌め込まれた状態で床下点検口３の開口周縁部４にその鍔部１８Ａが係止され、当該点検口蓋体１５Ａの上面１５Ａａと底板１２Ａの上面１２Ａａとが略面一となる構造とされている。
【００２８】
この点検口蓋体１５Ａは、鍔部１８Ａを含んで点検開口１３Ａと平面視して略同寸同形状とされている（図５（ａ）参照）。このような構成により、点検口蓋体１５Ａの下側部位１６が床下点検口３に嵌め込まれた状態では、上側部位１７Ａが底板１２Ａの点検開口１３Ａに嵌め込まれ、この上側部位１７Ａの外周面が点検開口１３Ａの内周面に近接または当接される。また、下側部位１６が床下点検口３に嵌め込まれた状態で、点検口蓋体１５Ａの鍔部１８Ａが、床下点検口３の開口周縁部４に当接されて、点検口蓋体１５が床下点検口３の開口周縁部４に係止される構造とされている。
この点検口蓋体１５Ａ（上側部位１７Ａ）及び床下点検口３の平面視における寸法は、下側部位１６が床下点検口３に嵌め込まれた状態で床下点検口３の開口周縁部４に鍔部１８Ａが係止可能となるような寸法とすればよい。つまり、床下点検口３の開口周縁部４に鍔部１８Ａが係止可能となるように点検開口１３Ａを、床下点検口３よりも大径状とすればよい。また、点検口蓋体１５Ａの鍔部１８Ａを含む上側部位１７Ａの厚さ寸法（上下寸法）は、点検口蓋体１５Ａの上面１５Ａａと底板１２Ａの上面１２Ａａとが略面一となるように、収納箱本体１０Ａの底板１２Ａの厚さ寸法と略同寸法とすればよい。
【００２９】
上記構成とされた本実施形態に係る畳付収納装置１Ａによっても、上記した第１実施形態と概ね同様の効果を奏する。
また、上記第１実施形態と概ね同様、点検口蓋体１５Ａの下側部位１６が床下点検口３に嵌め込まれた状態では、底板１２Ａの点検開口１３Ａの内周面に鍔部１８Ａの外周面が近接または当接配置されることとなる。これにより、床２上に設置された畳付収納装置１Ａの水平方向への移動を抑制することができる。
また、本実施形態では、点検口蓋体１５Ａの下側部位１６が床下点検口３に嵌め込まれた状態では、鍔部１８Ａが床下点検口３の開口周縁部４に係止され、点検口蓋体１５Ａの上面１５Ａａと底板１２Ａの上面１２Ａａとが略面一となる。そのため、点検口蓋体１５Ａの上面１５Ａａとそれ以外の部位の底板１２Ａの上面１２Ａａとに跨って物品等を載置する場合にも該物品を安定して載置することができる。
【００３０】
なお、上記各実施形態では、点検口蓋体１５（１５Ａ）に、床下点検口３に嵌め込まれる下側部位１６を設け、その上側部位１７（１７Ａ）の全周に亘って鍔部１８（１８Ａ）を設けた例を示しているが、このような態様に限られない。例えば、点検口蓋体１５（１５Ａ）を平板状とし、収納箱本体１０（１０Ａ）の点検開口１３（１３Ａ）の開口周縁部１４に当接させて、収納箱本体１０（１０Ａ）の底板１２（１２Ａ）上に載置する構造としてもよい。または、点検口蓋体１５Ａを平板状とし、床下点検口３の開口周縁部４に当接させて、床２上に載置する構造としてもよい。この場合、この点検口蓋体１５Ａ全体の厚さ寸法を、底板１２Ａの厚さ寸法と略同寸法とするようにしてもよい。
また、床下点検口３の内周面や開口周縁部４、点検開口１３（１３Ａ）の内周面や開口周縁部１４等と、点検口蓋体１５（１５Ａ）とが当接する箇所の両方または一方にシール部材を設けるようにしてもよい。これにより、点検口蓋体１５（１５Ａ）によって点検開口１３（１３Ａ）を閉鎖した状態において気密性を高めることができ、床２の上下間の空気や水蒸気等の移動等を抑制することができる。
また、点検口蓋体１５（１５Ａ）に断熱部材を設けたり、点検口蓋体１５（１５Ａ）自体を断熱材料から形成することで、点検口蓋体１５（１５Ａ）を、断熱性を有したものとしてもよい。
【００３１】
また、上記各実施形態では、畳付収納装置１（１Ａ）の平面視における寸法を、畳半帖程度とした例を示しているが、畳付収納装置１（１Ａ）の平面視における寸法を、畳一帖程度としたり、それ以外の寸法としてもよい。
また、上記した例では、畳付収納装置１（１Ａ）と、他の複数の畳収納装置９，９，９とによって建物内空間に畳コーナーを形成した例を示しているが、畳付収納装置１（１Ａ）単体で床２上に設置するようにしてもよい。
【符号の説明】
【００３２】
１，１Ａ          畳付収納装置
１０，１０Ａ      収納箱本体
１１              開口
１２，１２Ａ      底板
１２Ａａ          上面
１３，１３Ａ      点検開口
１４              開口周縁部
１５，１５Ａ      点検口蓋体
１５Ａａ          上面
１６              下側部位
１７，１７Ａ      上側部位
１８，１８Ａ      鍔部
１９              蓋体
１９ａ            畳部
２                床
３                床下点検口
４                開口周縁部
【図１】
0005820974.tif 000002
【図２】
0005820974.tif 000003
【図３】
0005820974.tif 000004
【図４】
0005820974.tif 000005
【図５】
0005820974.tif 000006